(57)【特許請求の範囲】
【請求項１】
帯状電線の絶縁被覆を貫通して導電体に接続されたソケットを帯状電線に配設し、ソケットに発光体を装着してなる帯状照明具のソケットが背面側から挿通される窓を備えるとともに、背面に帯状電線を当接する基体と；
基体との間で帯状電線を挟持する背面体と；
一端に開口端を備えその開口端を基体に装着してソケットおよび発光体を包囲する透光性グローブと；
基体に配設されてソケットの周囲を防水シールする第１のシール体と；
基体および透光性グローブの間を防水シールする第２のシール体と；
を具備していることを特徴とする帯状照明具の防水カバー機構。
【請求項２】
帯状の絶縁被覆の内部に複数の導電体を互いに絶縁関係に埋設してなる帯状電線、帯状電線の絶縁被覆を貫通して導電体に接続されるとともに帯状電線に配設されたソケット、およびソケットに装着された発光体を備えてなる帯状照明具と；
帯状照明具のソケットが背面側から挿通された窓を備えるとともに、背面に帯状電線を当接した基体と；
基体との間で帯状電線を挟持した背面体と；
一端に開口端を備えその開口端を基体に装着してソケットおよび発光体を包囲した透光性グローブと；
基体に配設されてソケットの周囲を防水シールする第１のシール体と；
基体および透光性グローブの間を防水シールする第２のシール体と；
を具備していることを特徴とする照明装置。
【請求項３】
第１のシール体は、ソケットの周側面および基体の間に介在していることを特徴とする請求項２記載の照明装置。
【請求項４】
第１のシール体は、ソケットの外側において基体と背面体との間に介在していることを特徴とする請求項２記載の照明装置。
【請求項５】
ソケットおよび発光体は、帯状電線の長手方向に沿って多数配設されていることを特徴とする請求項２ないし４のいずれか一記載の照明装置。
【請求項６】
帯状電線は、少なくとも２本は電源に接続される３本以上の導電体を絶縁被覆の内部に互いに絶縁関係に埋設してなり；
ソケットおよび発光体は、電源に接続されない導電体を介してその複数が直列接続された複数の発光グループを構成し、各発光グループが電源に接続される２本の導電体間に並列接続されている；
ことを特徴とする請求項５記載の照明装置。
【請求項７】
ソケットは、帯状電線の長手方向に延在する基体部および基体部の両端から互いに対向した挿入溝を形成して起立し内部に空間を備えた一対の挿入部を有する絶縁物製のソケット本体、ならびに帯状電線の絶縁体を貫通して導電体に接続されるとともにソケット本体の挿入部に対向して空間内に収納された一対の接触片を具備しており；
発光体は、両端にピンチシール部を備えたガラスバルブ、ピンチシール部に封装されてガラスバルブ内においてはフィラメント支持部を形成するとともにバルブ外においてはソケットの挿入溝に挿入されて接触片に接続される接片を形成している一対のリード線、およびガラスバルブ内においてフィラメント支持部間に継線されたフィラメントを具備している無口金小形白熱電球である；
ことを特徴とする請求項２ないし６のいずれか一記載の照明装置。
【請求項８】
ソケットの基体部および発光体の間に配設された反射体を具備していることを特徴とする請求項７記載の照明装置。
【請求項９】
基体は、ほぼ円盤状をなしていて裏面の周縁部においてほぼ中央を通過する仮想直線と交叉する位置に形成された一対の帯状電線の嵌合部、一対の嵌合部の間に形成されたソケットが挿通する窓、窓の両側に形成された円弧状をなす一対の固着部、表面において固着部より内側で窓の外側に形成され内周に第１のシール体を収納する周凹溝を形成した窓枠部、および外周に第２のシール体を収納する周凹溝をそれぞれ形成した環状凸条を具備しており；
背面体は、ほぼ円盤状をなしていて表面ほぼ中央に帯状電線の載置部、および載置部の両側に円弧状をなして基体の固着部に固着される固着部を具備しており；
透光性グローブは、ほぼ半球状をなすとともに開口端が円形をなしていて、その開口端を環状凸条に外側から嵌合することにより基体に装着されている；
ことを特徴とする請求項２、３および５ないし８のいずれか一記載の照明装置。
【請求項１０】
基体は、ほぼ円盤状をなしていて裏面の周縁部においてほぼ中央を通過する仮想直線と交叉する位置に形成された帯状電線の嵌合部、一対の嵌合部の間に形成されたソケットが貫通する窓、窓の両側に形成された円弧状をなす固着部、固着部より内側でソケットより外側において形成され第１のシール体を外側に装着する凸段部、および外周において第２のシール体を収納する周凹溝を形成した環状凸条を具備しており；
背面体は、ほぼ円盤状をなしていて表面ほぼ中央に帯状電線の載置部、載置部の両側に円弧状をなして基体の固着部に固着される固着部、および基体の周凸段部に離間対向して基体の周凸段部と協働して第１のシール体を収容する凹溝を形成する凸段部、および第１のシール体を押圧する押圧部を具備しており；
透光性グローブは、ほぼ半球状をなすとともに開口端が円形をなしていて、その開口端を環状凸条に外側から嵌合することにより基体に装着されている；
ことを特徴とする請求項２および４ないし８のいずれか一記載の照明装置。
【請求項１１】
背面体の固着部と基体の固着部とは、超音波溶接によって固着されていることを特徴とする請求項９または１０記載の照明装置。
【請求項１２】
背面体の固着部と基体の固着部とは、タッピングねじによって固着されていることを特徴とする請求項９または１０記載の照明装置。
【請求項１３】
基体は、周縁の外側に複数の円弧状の係合溝を具備しており；
透光性グローブは、開口端周縁の外側に基体の係合溝に係着する複数の係合片を具備している；
ことを特徴とする請求項９記載の照明装置。
【請求項１４】
基体は、周縁の外側に複数の円弧状の係合片を具備しており；透光性グローブは、開口端周縁の内側に基体の係合片に係着する複数の係合溝を具備している；ことを特徴とする請求項１０記載の照明装置。
【請求項１５】
背面体は、背面に取付孔を備えていることを特徴とする請求項２ないし１４のいずれか一記載の照明装置。
【請求項１６】
背面体の背面に添接して取付孔に固定され両端が背面体から側方に突出している取付部を備えた取付具を具備していることを特徴とする請求項１５記載の照明装置。
【請求項１７】
索条体を抱持し、両端部が背面体の背面の取付孔に固定された取付サドルを具備していることを特徴とする請求項１５記載の照明装置。
【請求項１８】
帯状電線の長手方向に沿って配設された複数のソケット、ソケットに装着された複数の発光体を備え、構築物の表面に帯状電線の偏平面が対向した状態で配設された請求項２ないし１５のいずれか一記載の照明装置と；
照明装置を構築物に固定する固定手段と；
帯状電線に接続された電源と；
を具備していることを特徴とする屋外照明システム。
【発明の詳細な説明】
【０００１】
【発明の属する技術分野】
本発明は帯状照明具の防水カバー機構、これを用いた照明装置および屋外照明システムに関する。
【０００２】
【従来の技術】
実公昭６３−３８４８２号公報には、帯状電線の絶縁被覆を貫通して導電体に接続されたソケットを帯状電線に配設し、そのソケットに電球を装着してなり、電飾照明用などとした帯状照明具が記載されている（従来技術１）。
【０００３】
しかし、従来技術１の帯状照明具は、片口金のウエッジベース形の電球を縦形にして着脱するソケットを用いているから、高さ寸法が大きくなってアンバランスであるとともに、この電球は通常フィラメントが縦形か山形であるため、帯状電線の長手方向に対する配光が円形になるから、ライン照明には不向きである。
【０００４】
これに対して、本発明者らは先に両端にピンチシール部を備えた細長い無口金小形電球を帯状電線の長手方向に平行に支持する絶縁物製のソケット本体を備えた帯状電線用として好適なソケットを発明し、ＰＣＴ／ＪＰ９６／０１５０９として出願している。このソケットは、帯状電線の長手方向に延在する基体部の両端から互いに対向した挿入溝を形成して起立し、内部に空間を有する一対の挿入部を備えた絶縁物製のソケット本体と、帯状電線の絶縁被覆を貫通して導電体に接続されるとともに、ソケット本体の挿入部に対向して空間内に収納された一対の接触片を具備している（先行発明）。
【０００５】
先行発明のソケットによれば、無口金小形電球のフィラメントの長手方向が帯状電線の長手方向に一致するので、ライン照明の照明効果を出しやすい配光になるうえに、接触片が絶縁物製のソケット本体によって保護されるため、安全であるとともに、外観が向上する。また、無口金小形電球の両端のピンチシール部をソケット本体の挿入溝に挿入して支持させることができるので、無口金小形電球の着脱が容易になる。
【０００６】
したがって、先行発明の帯状照明具は屋内のライン状の電飾または照明用として種々の用途たとえば店舗の棚下照明、ショウケース照明、天井、壁などの光装飾などに適応するものである。
【０００７】
一方、屋外におけるライン状の電飾または照明用には、雨水の侵入を防止する関係で、防水構造にする必要がある。この種の照明具としては、特開平０７−１６９３１３号公報に記載されているものが知られている（従来技術２）。従来技術２の照明具は、キャプタイヤケーブルのようなケーブルの途中をソケットの台座部およびキャップ部で挟持することによってソケットのケーブルへの支持と電気接続とを同時に行い、さらに透明な合成樹脂からなるグローブのネック部にＯリングを支持するチャネルを形成し、台座部に形成した環状のスカート内にグローブのネック部を圧入することによって、グローブを防水的にソケットに装着する構造である。
【０００８】
【発明が解決しようとする課題】
先行発明は、防水構造になっていないから、屋外用としては不向きである。
【０００９】
これに対して、従来技術２は、防水性を付与したグローブ取付構造を備えているから、屋外用として用いることができる。
【００１０】
しかしながら、従来技術２は、グローブにネック部を形成し、ソケットのスカートの内面にネック部を挿入し、スカートの内周面にネック部のＯリングを圧接させることにより、防水するものであるから、電球に対する通常のグローブのサイズを考慮すると、ネック部の径をそれほど大きくすることができない。このため、電球を縦形にする必要があり、この技術を先行発明のような帯状電線の長手方向に電球の長手方向を合わせたことにより、帯状電線の長手方向のサイズが大きくなるいわゆる横形の配置には適用することができない。
【００１１】
また、従来技術２は、台座部から突出する凸部をキャップ部内に挿入して係合することによって、キャップ部を台座部に固定するとともに台座部から突出するピンをケーブルに差し込んで所要の電気接続を行わせる構造であるから、ケーブルの位置から後方に突出するキャップ部の奥行きサイズが大きくなってしまう。このため、構築物の表面に沿ってライン状に配設する場合に、取り付けにくいとともに、ランプの取り付け高さが高くなりすぎてしまう。
【００１２】
さらに、従来技術２は、グローブがネック部を備えた構造であるから、その成形にはブロー成形法による必要があり、したがってコスト高になってしまう。
【００１３】
本発明は、ソケットの形状および発光体の装着方向の如何にかかわらずソケットおよび発光体を防水的に包囲できるとともに、帯状電線の背面側への突出を少なくできて構築物の表面に沿った取り付けが容易であり、かつグローブを安価に成形できる帯状照明具の防水カバー機構、これを用いた照明装置および屋外照明システムを提供することを目的とする。
【００１４】
【課題を達成するための手段】
請求項１の発明の帯状照明具の防水カバー機構は、帯状電線の絶縁被覆を貫通して導電体に接続されたソケットを帯状電線に配設し、ソケットに発光体を装着してなる帯状照明具のソケットが背面側から挿通される窓を備えるとともに、背面に帯状電線を当接する基体と；基体との間で帯状電線を挟持する背面体と；一端に開口端を備えその開口端を基体に装着してソケットおよび発光体を包囲する透光性グローブと；基体に配設されてソケットの周囲を防水シールする第１のシール体と；基体および透光性グローブの間を防水シールする第２のシール体と；を具備していることを特徴としている。
【００１５】
本発明および以下の各発明において、特に指定しない限り用語の定義および技術的意味は次による。
【００１６】
まず、帯状照明具について説明する。
【００１７】
帯状電線は、偏平な絶縁被覆の内部に複数の導電体が横方向に離間した状態で互いに絶縁関係を形成して埋設されて構成されている。そして、導電体としては、帯状電線の屈曲性を高めたい場合には、編組導体を用いることができる。その場合に、導体を偏平にすることによって、一層偏平で屈曲性に富んだ帯状電線を得ることができる。絶縁被覆としては、所要の絶縁レベルに応じて所望の絶縁耐力を有する絶縁材料を用いることができる。
【００１８】
帯状電線に印加する電圧は、一般的には１２Ｖまたは２４Ｖの低圧交流または直流が使用されるが、所望により１００Ｖないし１２０Ｖの交流にすることもできる。
【００１９】
ソケットは、帯状電線と一体に成形されることによって帯状電線に配設されていてもよいし、それぞれ別体として形成した後に適宜の手段によって帯状電線に結合することによって配設してもよい。
【００２０】
また、ソケットは、片口金の発光体を帯状電線に対して垂直に装着するもの、帯状電線の長手方向とほぼ平行な方向に発光体を装着するものなど、その装着方向は自由である。後者の場合、発光体は両口金形であることを許容する。
【００２１】
さらに、ソケットの帯状電線に対する接続は、適宜の手段を採用して行うことができる。たとえば、ソケットの接触片を接続する部分の帯状電線の絶縁被覆を除去してから、接触片を露出した帯状電線の導電体の上に重ねて両者をスポット溶接し、導体の露出部をシリコーン樹脂などで被覆して再び絶縁することができる。また、ソケットの接触片から延在する端子片を帯状電線の絶縁被覆に形成したスリットから導電体の上に挿入させてから、同一材料からなる帯状電線とソケット本体とを超音波溶接によって両者を機械的に固着するとともに、導電体と端子片とを圧接して、電気的に接続してもよい。さらに、ソケットの接触片から圧接ピンを凸設してこれを帯状電線に圧入して導電体に接続するのでもよい。
【００２２】
帯状電線に配設するソケットの数は帯状電線の導体の許容電流の範囲で自由である。所望の長さのライン照明を行う場合に、その中でどの程度の数のソケットを配設するかは、施工に際しての設計事項とすることができるし、また工場段階で標準化して同一仕様のものを量産することもできる。また、この種の電線は、所望の長さに切断して使用することができる。
【００２３】
さらにまた、ソケットは、発光体の装着方向を帯状電線に対して垂直、平行などどのような向きにしてもよい。帯状電線と平行な向きの場合、さらに帯状電線の長手方向に対して平行であってもよいし、長手方向に対しては直角であってもよい。
【００２４】
発光体は、白熱電球、発光ダイオード、放電ランプなど任意所望のものを用いることができる。また、発光体は、片口金、両口金のいずれでもよい。さらに、口金の形状としては、エジソンタイプ、バヨネットタイプ、ウエッジタイプ、ヒューズタイプなど既知のあらゆるタイプのものを用いることができる。さらにまた、ウエッジタイプであってもピンチシール部にリード線を折り曲げたもの、ピンチシール部から半円形に湾曲してリード線を突出させたものなどを用いることができる。
【００２５】
白熱電球としては、ガラスバルブが透明なもの、光拡散性のもの、着色したものないしはカラーキャップを被嵌したものなどを用いることができる。フィラメント形状は直線状、山形状など任意形状のものを許容する。無口金構造である場合に片封止および両端封止のいずれでもよい。しかし、帯状照明具としては、両端封止の無口金小形電球が外観および配光上などにより好都合である。この種の電球の一例を主な仕様で示せば、次のとおりである。
【００２６】
その１：定格電圧１２Ｖ、定格消費電力５Ｗ、光束４５ｌｍ
その２：同      １２Ｖ、同        １０Ｗ、同１００ｌｍ
その３：同      ２４Ｖ、同          ５Ｗ、同  ４０ｌｍ
その４：同      ２４Ｖ、同        １０Ｗ、同  ９０ｌｍ
なお、定格寿命はいずれも２００００時間である。
【００２７】
発光体が放電ランプとしては、放電を安定させる限流要素をソケットの内部に収納することができる。
【００２８】
次に、防水カバー機構について説明する。
【００２９】
基体は、帯状電線のソケットを配設した方の面すなわち表側に配設される。そして、基体はソケットを背面から挿通するための窓を備えている。窓の大きさは、第１のシール体を直接ソケットの周囲と基体との間に装着する場合は、シール効果を阻害しないように厳密に管理するものとするが、ソケットの外側であって、基体と背面体との間を第１のシール体によってシールする場合は、適当な大きさでよい。
【００３０】
背面体は、帯状電線のソケットを配設した面の反対側の面すなわち裏側に配設される。そして、基体と背面体とで帯状電線を挟持することにより、基体と背面体とは、帯状照明具のソケット配設位置に固定される。上記後者の構成に基づいて第１のシール体によりソケットの周囲をシールする場合は、ソケットの外周面と協働して第１のシール体を収容する周凹溝を基体に形成することができる。
【００３１】
透光性グローブは、一端が開口端を形成して、他端は閉塞されている。透光性とは、グローブの少なくとも所要の部分が光透過性に形成されているという意味である。透光の態様としては、透明および光拡散透過性のいずれでもよく、さらに着色されていてもい。
【００３２】
また、透光性グローブは、基体と協働してソケットおよび発光体の両者を包囲するので、その開口端は、ネック部を形成している必要性はない。しかし、所望により、ネック部を形成していてもよい。そして、透光性グローブは、その開口端が防水的に基体に支持される。
【００３３】
そうして、本発明においては、基体に配設された第１のシール体により、ソケットの周囲を防水シールするとともに、第２のシール体により、基体と透光性グローブの開口端との間を防水シールし、基体および透光性グローブによってソケットおよび発光体を包囲するので、外部に対して防水構造となる。ソケットは、上記のように基体および透光性グローブにより包囲されるので、周囲が円形である必要がないから、帯状電線の長手方向に細長いソケットであってもよい。いわゆる異形のソケットに対しても所要の防水カバー機構を得ることができる。
【００３４】
また、背面体は、基体と協働して帯状電線を挟持すればよいので、板状のものを用いることができ、帯状電線の裏面方向への突出寸法を極めて少なくすることができる。このことは、帯状電線を構築物の表面に沿って配設する場合に作業を容易にするとともに、外観を向上する。
【００３５】
請求項２の発明の照明装置は、帯状の絶縁被覆の内部に複数の導電体を互いに絶縁関係に埋設してなる帯状電線、帯状電線の絶縁被覆を貫通して導電体に接続されるとともに帯状電線に配設されたソケット、およびソケットに装着された発光体を備えてなる帯状照明具と；帯状照明具のソケットが背面側から挿通された窓を備えるとともに、背面に帯状電線を当接した基体と；基体との間で帯状電線を挟持した背面体と；一端に開口端を備えその開口端を基体に装着してソケットおよび発光体を包囲した透光性グローブと；基体に配設されてソケットの周囲を防水シールする第１のシール体と；基体および透光性グローブの間を防水シールする第２のシール体と；を具備していることを特徴としている。
【００３６】
本発明は、請求項１の発明の構成および作用を備えて防水構造に構成された帯状照明具からなる照明装置である。
【００３７】
請求項３の発明の照明装置は、請求項２記載の照明装置において、第１のシール体は、ソケットの周側面および基体の間に介在していることを特徴としている。
【００３８】
本発明は、ソケットの周側面を利用してソケットの周囲をシールする構成を規定している。すなわち、ソケットの周側面と基体との間に第１のシール体を介在させて防水シールする。したがって、背面体は上記シールに対して直接寄与する必要はないが、必要に応じて第１のシール体を押さえてその脱落を阻止するようにすることができる。
【００３９】
請求項４の発明の照明装置は、請求項２記載の照明装置において、第１のシール体は、ソケットの外側において基体と背面体との間に介在していることを特徴としている。
【００４０】
本発明は、第１のシール体を基体と背面体との間に介在させてソケットの周囲を防水するものである。この場合、基体に第１のシール体を収納する周溝を形成し、背面体および周溝により第１のシール体を挟んでシール作用を行わせる構成であってもよいし、基体および背面体の両者によって周溝を形成し、第１のシール体を周溝に収納してシール作用を行わせる構成であってもよい。
【００４１】
請求項５の発明の照明装置は、請求項２ないし４のいずれか一記載の照明装置において、ソケットおよび発光体は、帯状電線の長手方向に沿って多数配設されていることを特徴としている。
【００４２】
本発明は、帯状電線の長手方向に沿って多数のソケット、発光体および防水カバー機構が配設されているので、いわゆるライン照明に使用することができる。しかも、各発光体は雨水などに対して防水されているから、屋外用として、また場合によっては水中用として最適である。用途の一例を示せば、橋梁や建物の輪郭照明、街路や河岸に沿ったライン照明などライトアップに新しい照明機材を提供することができる。すなわち、たとえば、本発明の照明装置を構築物たとえば橋梁、建物などの外郭に沿って配線するだけで、イルミネーション照明設備を設置することができる。この場合、帯状電線を適当に固定するか、防水カバー機構を固定することによって、取り付けることができる。
【００４３】
帯状電線に配設するソケットの数は、帯状電線の電流容量に応じて適宜に設定することができる。帯状電線の電流容量に応じて決定される最大許容数を超えた数を必要とするときには、帯状電線を複数並列接続すればよい。
【００４４】
請求項６の発明の照明装置は、請求項５記載の照明装置において、帯状電線は、少なくとも２本は電源に接続される３本以上の導電体を絶縁被覆の内部に互いに絶縁関係に埋設してなり；ソケットおよび発光体は、電源に接続されない導電体を介してその複数が直列接続された複数の発光グループを構成し、各発光グループが電源に接続される２本の導電体間に並列接続されている；ことを特徴としている。
【００４５】
本発明において、帯状電線の電源に直接接続される２本の導電体以外の導電体すなわち非電源接続導電体は、直列接続された発光グループを形成するために用いられる。この目的のために、非電源接続導電体は、必要に応じて複数の導電片に分断される。分断のための一般的な方法としては、帯状電線としては非電源接続導電体は分断されてない状態で製作される。そして、分断はポンチなどにより、絶縁被覆と一緒に分断箇所を打ち抜く。打ち抜き後にはシリコーンなどの絶縁性充填剤を充填して固化させればよい。
【００４６】
したがって、所望の発光体間隔に応じて非電源接続導電体を分断して複数の導電片を形成することができる。
【００４７】
そうして、たとえば４個の発光体を直列接続してなる発光グループを形成するには、第１の発光体のソケットを電源の一極に接続される導電体と第１の導電片とに接続する。第２の発光体のソケットを第１の分断片と第２の分断片とに接続する。第３の発光体のソケットを同様に第２の分断片と第３の分断片とに接続する。最後に第４の発光体のソケットを第３の分断片と電源の他極に接続される導電体とに接続する。すなわち、発光グループは第１〜第３の分断片を介して直列接続されて電源に接続される一対の導電体間に接続される。帯状電線の長手方向に沿って非電源接続導電体を順次分断していけば、複数の発光グループを形成して、各発光グループを一対の導電体間に並列接続できることを理解できるであろう。
【００４８】
非電源接続導電体は、上記の説明においては１本あればよいが、さらに複数の非電源接続導電体を設けることにより、発光グループをブロック化して、ブロック単位で異なる制御を可能にすることができる。
【００４９】
本発明における利点は、商用電源電圧を降圧するためのトランスが不要になることである。特に屋外の構築物に設置する照明の場合、トランスを設置するスペースを確保しにくいことを考慮すれば、非常に有益である。
【００５０】
請求項７の発明の照明装置は、請求項２ないし６のいずれか一記載の照明装置において、ソケットは、帯状電線の長手方向に延在する基体部および基体部の両端から互いに対向した挿入溝を形成して起立し内部に空間を備えた一対の挿入部を有する絶縁物製のソケット本体、ならびに帯状電線の絶縁体を貫通して導電体に接続されるとともにソケット本体の挿入部に対向して空間内に収納された一対の接触片を具備しており；発光体は、両端にピンチシール部を備えたガラスバルブ、ピンチシール部に封装されてガラスバルブ内においてはフィラメント支持部を形成するとともにバルブ外においてはソケットの挿入溝に挿入されて接触片に接続される接片を形成している一対のリード線、およびガラスバルブ内においてフィラメント支持部間に継線されたフィラメントを具備している無口金小形白熱電球である；ことを特徴としている。
【００５１】
本発明は、両端封止の無口金小形電球を発光体として用いる構成である。
【００５２】
ソケットは、互いに対向した挿入孔が無口金小形電球の両端のピンチシール部を挿入するように構成していてもよいし、リード線のみが挿入孔に挿入される構成であってもよい。
【００５３】
本発明の無口金小形電球は、フィラメントを直線的に懸架できるから、配光がライン照明に向いたものにできる。
【００５４】
また、ガラスバルブの軸が帯状電線の長手方向に沿っているから、帯状電線からの突出高さを低くできるとともに、ソケットは絶縁物製のソケット本体を備えているから、外観が向上し、このため本発明の照明装置を看者から直接見えるような場所に設置すれば美感を与える。
【００５５】
請求項８の発明の照明装置は、請求項７記載の照明装置において、ソケットの基体部および発光体の間に配設された反射体を具備していることを特徴としている。
【００５６】
発光体とソケットの基体部との間に反射体を配設したことにより、発光体の可視光を所望配光になるように反射させることができる。これとともに、発光体から放射される熱をも反射させることができる。このため、発光体をソケットの基体部になるべく接近して配置しても基体部が発光体の発熱によって劣化ないし焼損するようなことはない。
【００５７】
反射体は、ソケット本体に着脱自在に装着させることができる。
【００５８】
請求項９の発明の照明装置は、請求項２、３および５ないし８のいずれか一記載の照明装置において、基体は、ほぼ円盤状をなしていて裏面の周縁部においてほぼ中央を通過する仮想直線と交叉する位置に形成された一対の帯状電線の嵌合部、一対の嵌合部の間に形成されたソケットが挿通する窓、窓の両側に形成された円弧状をなす一対の固着部、表面において固着部より内側で窓の外側に形成され内周に第１のシール体を収納する周凹溝を形成した窓枠部、および外周に第２のシール体を収納する周凹溝をそれぞれ形成した環状凸条を具備しており；背面体は、ほぼ円盤状をなしていて表面ほぼ中央に帯状電線の載置部、および載置部の両側に円弧状をなして基体の固着部に固着される固着部を具備しており；透光性グローブは、ほぼ半球状をなすとともに開口端が円形をなしていて、その開口端を環状凸条に外側から嵌合することにより基体に装着されている；ことを特徴としている。
【００５９】
本発明においては、背面体および基体に帯状電線の側方へ突出する固着部をそれぞれ形成して、これらの円弧状をなす固着部によって基体と背面体とを中間に帯状電線を挟持した状態で固着する。固着部同志を固着するのは、適宜固着手段たとえば超音波溶接、ねじまたはボルト・ナットなどを用いて行うことができる。
【００６０】
透光性グローブは、開口端が円形であり、この開口端を基体の環状凸条に外側から嵌合させることにより、基体に装着されるのであるから、ソケットや発光体の取付方向を考慮することなく装着することができる。また、透光性グローブはほぼ半球状にすることができ、ネック部を形成する必要がないから、製造コストの安価な射出成形法によって得ることができる。
【００６１】
透光性グローブの基体への取り付けは、グローブと基体に環状突条との摩擦またはグローブと第２のシール体との摩擦によって不用意に脱落しないようにすることができる。しかし、要すれば専用の脱落防止機構を付加することができる。
【００６２】
請求項１０の発明の照明装置は、請求項２および４ないし８のいずれか一記載の照明装置において、基体は、ほぼ円盤状をなしていて裏面の周縁部においてほぼ中央を通過する仮想直線と交叉する位置に形成された帯状電線の嵌合部、一対の嵌合部の間に形成されたソケットが貫通する窓、窓の両側に形成された円弧状をなす固着部、固着部より内側でソケットより外側において形成され第１のシール体を外側に装着する周凸段部、および外周において第２のシール体を収納する周凹溝を形成した環状凸条を具備しており；背面体は、ほぼ円盤状をなしていて表面ほぼ中央に帯状電線の載置部、載置部の両側に円弧状をなして基体の固着部に固着される固着部、および基体の周凸段部に離間対向して基体の周凸段部と協働して第１のシール体を収容する凹溝を形成する凸段部、および第１のシール体を押圧する押圧部を具備しており；透光性グローブは、ほぼ半球状をなすとともに開口端が円形をなしていて、その開口端を環状凸条に外側から嵌合することにより基体に装着されている；ことを特徴としている。
【００６３】
本発明は、ソケットの周囲の防水をソケットを利用しないで基体と背面体との間に第２のシール体を介在させて行う構成である。
【００６４】
したがって、本発明はソケットの周側面の形状および寸法にばらつきがあっても防水性能は影響を受けない。
【００６５】
また、ソケットの形状は基本的にシールに対して無関係であり、したがってソケットの形状は異形であっても所望の防水を行うことができる。
【００６６】
さらに、ソケットの形状の如何にかかわらず第２のシール体による防水シールに適した形状を採用することができる。
【００６７】
さらにまた、第１のシール体を収納する周溝を基体の周凸段部と背面体の凸段部とが協働して形成することにより、第１のシール体を予め基体の周凸段部に装着しておき、それから帯状電線を背面体と基体とで挟持すると、背面体の凸段部が基体の周凸段部と協働して周溝を形成して第２のシール体がその内部に収納されるから、固着手段によって基体と背面体とを固着することによって、第１のシール体は周溝内に押圧部によって圧迫されてシール効果を発揮する。なお、背面体の凸段部は帯状電線を横切るために周形状にならないが、凸段部のない部分は帯状電線が第１のシール体を圧迫するので、基本的には問題がない。しかし、帯状電線と凸段部との間にわずかな隙間が形成される場合には、帯状電線と基体および背面体との間にシリコーンなどを充填してシールを補完することができる。
【００６８】
請求項１１の発明の照明装置は、請求項９または１０記載の照明装置において、背面体の固着部と基体の固着部とは、超音波溶接によって固着されていることを特徴としている。
【００６９】
基体と背面体の固着部は、それぞれ円弧状であるから、超音波溶接するのに十分な長さを確保でき、したがって十分な固着強度を得ることができる。また、基体と背面体とは、工場段階で一度固着すれば、後で分離する必要が殆どないし、かえってユーザーが分離できると、不適当な組立によって防水性能を低下させるおそれがある。
【００７０】
請求項１２の発明の照明装置は、請求項９または１０記載の照明装置において、背面体の固着部と基体の固着部とは、タッピングねじによって固着されていることを特徴としている。
【００７１】
本発明はタッピングねじで固着するので、固着作業および固着設備が簡単であり、したがって組立工数が少なくなる。タッピングねじは、基体側から背面体に向かってねじ込んでもよいが、背面体の背面側からねじ込むようにすれば、背面体の背面の平坦な面からねじ込むことができるので、一層作業が容易であるとともに、外観も良好になる。
【００７２】
また、タッピングねじの数は適当数であることを許容する。たとえば各固着部ごとに１ないし数個のタッピングねじを用いることができる。
【００７３】
請求項１３の発明の照明装置は、請求項９記載の照明装置において、基体は、周縁の外側に複数の円弧状の係合溝を具備しており；透光性グローブは、開口端周縁の外側に基体の係合溝に係着する複数の係合片を具備している；ことを特徴としている。
【００７４】
透光性グローブを基体に取り付けるには、まず透光性グローブの開口端を基体の環状凸条にその外側から嵌合させ、次に透光性グローブを回動させればよい。そうすると、透光性グローブの係合片が基体の係合溝に係着するので、取り付けは完了する。
【００７５】
透光性グローブの係合片と基体の係合溝との係合は、透光性グローブの脱落防止機構として作用する。
【００７６】
請求項１４の発明は、請求項１０記載の照明装置において、基体は、周縁の外側に複数の円弧状の係合片を具備しており；透光性グローブは、開口端周縁の内側に基体の係合溝に係着する複数の係合溝を具備している；ことを特徴としている。
【００７７】
透光性グローブを基体に取り付けるには、まず透光性グローブの開口端を基体の環状凸条にその外側から嵌合させ、次に透光性グローブを回動させる点において請求項１３と全く同様である。そうすると、基体の係合片が透光性グローブの係合溝に係着するので、取り付けは完了する。
【００７８】
基体の係合片と透光性グローブの係合溝との係合は、透光性グローブの脱落防止機構として作用する。
【００７９】
本発明においては、基体の外周に係合片を形成し、透光性グローブの内側に係合溝を形成するので、透光性グローブの外周には殆ど突出するものがなく外観が良好である。
【００８０】
請求項１５の発明の照明装置は、請求項２ないし１４のいずれか一記載の照明装置において、背面体は、背面に取付孔を備えていることを特徴としている。
【００８１】
背面体に形成された取付孔は、照明装置を構築物などに取り付ける場合にこれを用いることができる。取付孔を用いて直接構築物などに取り付ける他に、まず取付孔を用いて取付具を取り付け、次に取付具を構築物などに取り付けてもよい。
【００８２】
取付孔は、背面体のどこでもよいが、固着部に取付孔を形成すると、背面体を肉厚にしないでよいので、好都合である。
【００８３】
請求項１６の発明の照明装置は、請求項１５記載の照明装置において、背面体の背面に添接して取付孔に固定され両端が背面体から側方に突出している取付部を備えた取付具を具備していることを特徴としている。
【００８４】
本発明においては、取付具を介して構築物などに取り付けることができ、取付具を使用しないときには取付具を取り外しておけば、不要なものがないから、外観がよい。
【００８５】
請求項１７の発明の照明装置は、請求項１５記載の照明装置において、索条体を抱持し、両端部が背面体の背面の取付孔に固定された取付サドルを具備していることを特徴としている。
【００８６】
本発明は、橋梁などに取り付ける場合に好適な取付構造である。すなわち、橋梁などにライン照明を設備する場合には、まず取付位置に沿ってワイヤを取り付け、ワイヤに照明装置をライン状に取り付ける場合が多いので、このワイヤに簡単な構造で取り付けられるようにしたものである。背面体の背面に形成した取付孔にワイヤを抱持した取付サドルを取り付けることによって照明装置を取り付けることができる。
【００８７】
請求項１８の発明の屋外照明システムは、帯状電線の長手方向に沿って配設された複数のソケット、ソケットに装着された複数の発光体を備え、構築物の表面に帯状電線の偏平面が対向した状態で配設された請求項２ないし１５のいずれか一記載の照明装置と；照明装置を構築物に固定する固定手段と；帯状電線に接続された電源と；を具備していることを特徴としている。
【００８８】
固定手段は、防水カバー機構たとえば背面体に予め一体に形成することができる。また、帯状電線を抱持する帯状電線取付サドルを用いてもよい。
【００８９】
本発明は、先行する発明の照明装置の構成の特長を活用して構築物に取り付けやすくしたものである。すなわち、背面体は帯状電線から後方へ突出する部分が少ないから、構築物の表面に沿って安定に、しかも外観良好に照明装置を取り付けることができる。
【００９０】
【発明の実施の形態】
以下、本発明の実施の形態を図面を参照して説明する。
【００９１】
図１は、本発明の帯状照明具の防水カバー機構および照明装置の第１の実施形態を示す一部切欠断面図である。
【００９２】
図において、１は帯状照明具、２は防水カバー機構、３は構築物、４は帯状照明具取付サドルである。
【００９３】
まず、帯状照明具１について図１に加えて図２および図３を参照して説明する。
【００９４】
図２は、本発明に用いる帯状照明具の一例を示す一部切欠断面図である。
【００９５】
図３は、同じく一部切欠分解斜視図である。
【００９６】
各図において、１１は帯状電線、１２はソケット、１３は発光体、１４は反射体である。
【００９７】
帯状電線１１は、偏平な絶縁被覆１１ａ内に２本の編組された導電体１１ｂ１、１１ｂ２を互いに絶縁関係において埋設してなる。
【００９８】
ソケット１２は、合成樹脂などの絶縁物からなるソケット本体１２ａおよび一対の接触片１２ｂ、１２ｂからなる。
【００９９】
ソケット本体１２ａは、帯状電線の長手方向の延在する基体部１２ａ１および基体部の両端から起立する一対の挿入部１２ａ２、１２ａ２からなる。各挿入部１２ａ２は、互いに対向する挿入溝１２ａ３、１２ａ３および内部に空間１２ａ４を備えている。
【０１００】
各接触片１２ｂは、導電性ばね材を屈曲して底面部１２ｂ１、底面部１２ｂ１の両端から湾曲して起立して形成された受刃部１２ｂ２、底面部１２ｂ１の一側から側方に突出した接続部１２ｂ３および他側に突出した支え部１２ｂ４からなる。接触片１２ｂは、ソケット本体１２ａの挿入部１２ａ２の空間１２ａ４内に収納され、受刃部１２ｂ２が挿入溝１２ａ３に対面する。
【０１０１】
ソケット１２を帯状電線１１に装着するには、予定箇所における帯状電線１１の絶縁被覆１１ａを除去して導電体１１ｂ１、１１ｂ２を露出させる。次に、接触片１２ｂ、１２ｂの接続部１２ｂ３、１２ｂ３を導電体１１ｂ１、１１ｂ２の上に重ね、スポット溶接により接続する。その後にはシリコーン樹脂を充填して絶縁処理しておく。そうして、支え部１２ｂ４が絶縁体１１ａの表面に当接するから、接触片１２ｂは帯状電線１１に確実に支持される。接触片１２ｂを装着したら、次にソケット本体１２ａを挿入部１２ａ２の空間１２ａ４が接触片１２ｂに嵌合するようにかぶせる。予めソケット本体の下面から取付ピン１２ａ５を突出させておくとともに、帯状電線１１の絶縁被覆１１ａに取付孔１１ｃを形成しておき、取付孔１１ｃに取付ピン１２ａ５を嵌合させ、裏面から突出した部分を熱変形することにより、帯状電線１１へのソケット１２の取り付けが終了する。
【０１０２】
発光体１３は、無口金小形電球からなる。この電球は、細長いガラスバルブ１３ａ、ガラスバルブ１３ａの両端に形成された一対のピンチシール部１３ｂ、１３ｂ、各ピンチシール部１３ｂから導出され、半円形ないしＵ字形に折曲して接片１３ｄを形成して再び先端がピンチシール部１３ｂに埋設されたリード線１３ｃおよびリード線１３ｃのガラスバルブ１３ａ内における端部間に継線された直線状のフィラメント１３ｅからなり、ガラスバルブ１３ａ内にはキセノンガスが封入されている。
【０１０３】
反射体１４は、ガラスバルブ１３ａを囲むような曲面に湾曲され、ソケット本体１２ａの挿入部１２ａ２の前面にスリット１２ａ６を介して形成された脚片１２ａ７の突起１２ａ８によって脱落しないように支持されている。また、反射体１４の両端には挿入溝１２ａ３に係合して反射体４を位置決めを行う突起１４ａを備えている。
【０１０４】
発光体１３をソケット１２に装着するには、ガラスバルブ１３ａを把持してソケット本体１２ａの挿入溝１２ａ３に接片１３ｄおよびピンチシール部１３ｂを挿入すれば、接片１３ｄが接触片１２ｂの受刃部１２ｂ２に係合して電気的および機械的接続が行われる。発光体１３をソケット１２から取り外すには、上記と逆の操作を行えばよい。
【０１０５】
次に、防水カバー機構２について図１を参照して説明する。
【０１０６】
防水カバー機構２は、基体２１、背面体２２、透光性グローブ２３、第１のシール体２４および第２のシール体２５からなる。
【０１０７】
基体２１は、帯状照明具１の表側に配設されて帯状照明具のソケット１２が挿通される窓２１ｇを備えるとともに、外周の透光性グローブ２３を装着し、背面に帯状電線１１を当接する。
【０１０８】
背面体２２は、基体２１と協働して帯状電線１１を挟持する。
【０１０９】
透光性グローブ２３は、一端に開口端２３ａを備えているとともに、その開口端２３ａが基体２１に装着されることによってソケット１２および発光体１３を包囲する。
【０１１０】
第１のシール体２４は、基体２１とソケット１２との間に介在してソケットの周囲を防水的にシールする。
【０１１１】
第２のシール体２５は、基体と透光性グローブとの間に介在して両者の間を防水的にシールする。
【０１１２】
以下、防水カバー機構２の詳細を図４ないし図１６を参照して説明する。
【０１１３】
まず、基体について図４ないし図１０を参照して説明する。
【０１１４】
図４は、本発明の帯状照明具の防水カバー機構および照明装置の第１の実施形態における基体の正面図である。
【０１１５】
図５は、同じく背面図である。
【０１１６】
図６は、同じく一部断面側面図である。
【０１１７】
図７は、同じく一部断面底面図である。
【０１１８】
基体２１は、全体として円盤状をなし、周囲の環状枠２１ａと、中央の隔壁２１ｂを備えている。基体２１は、透明なポリカーボネート樹脂を成形して製作されている。
【０１１９】
環状枠２１ａは、裏側に位置する径大枠部２１ａ１、表側に位置する径小枠部２１ａ２および径小枠部２１ａ２に形成した周凹溝２１ａ３からなる。
【０１２０】
径小枠部２１ａ２は、基体２１の表面側に突出する環状凸条２１ｄを形成している。
【０１２１】
図７に示すように、径大枠部２１ａ１には、基体２１の裏面中央を通過する仮想直線と交叉する位置において、その一部を切欠して帯状電線１１の嵌合部２１ｅを形成してある。
【０１２２】
また、環状枠２１ａの径大枠部２１ａ１および径小枠部２１ａ２に跨って一対の係合溝２１ｆが形成されている。係合溝２１ｆは、基体２１の表面にその始端部２１ｆ１が開口するが、その他の部分は裏面に開口している。
【０１２３】
隔壁２１ｂは、底部２１ｂ１が平坦で、その周囲にテーパ面２１ｂ２が形成されている。隔壁２１ｂの中央部に横長の窓２１ｇが形成されている。窓２１ｇの裏面周縁には周凹溝２１ｇ１が形成されている。
【０１２４】
基体２１の窓２１ｇの両側は一対の円弧状の固着部２１ｉ、２１ｉを構成する。
【０１２５】
次に、背面体２２について図８ないし図１１を参照して説明する。
【０１２６】
図８は、本発明の帯状照明具の防水カバー機構および照明装置の第１の実施形態における背面体の正面図である。
【０１２７】
図９は、同じく背面図である。
【０１２８】
図１０は、同じく一部断面側面図である。
【０１２９】
図１１は、同じく底面図である。
【０１３０】
背面体２２は、全体として円盤状をなし、表面中央に帯状電線１１の載置部２２ａ、載置部２２ａの両側に一対の円弧状をなす固着部２２ｂ、２２ｂ、載置部２２ａから放射状に突出した一対の帯状電線１１の支え部２２ｃ、２２ｃおよび裏面に一対の取付孔２２ｄ、２２ｄを備えている。背面体２２は、透明なポリカーボネート樹脂を成形して製作されている。
【０１３１】
載置部２２ａは、一対の凸条２２ａ１、２２ａ１によって画成されている。
【０１３２】
一対の固着部２２ｂ、２２ｂは、その表面の周縁に円弧状のリブ２２ｂ１、２２ｂ１を備えている。
【０１３３】
支え部２２ｃは、反面体２２から一体に突出して帯状電線１１が屈曲されたときに後述する第１のシール体２４のシール作用に悪影響しないように支える。
【０１３４】
取付孔２２ｄは、固着部２２ｂのリブ２２ｂ１と凸条２２ａ１との間に適宜数形成することができ、裏面の開口する。取付孔２２ｄは、タッピングねじを受け入れることができる。
【０１３５】
次に、透光性グローブ２３について図１２および図１３を参照して説明する。
【０１３６】
図１２は、本発明の帯状照明具の防水カバー機構および照明装置の第１の実施形態における透光性グローブの一部断面側面図である。
【０１３７】
図１３は、同じく平面図である。
【０１３８】
透光性グローブ２３は、透明なポリカーボネート樹脂を全体としてほぼ半球状に成形して製作されており、開口端２３ａは円形をなしている。開口端２３ａの外側には一対の係合片２３ｂ、２３ｂが形成されている。また、頂部内面には輝度調整用のプリズム２３ｃが同心円状に形成されている。
【０１３９】
図１４は、本発明の帯状照明具の防水カバー機構および照明装置の第１の実施形態における第１のシール体を示す正面図である。
【０１４０】
図１５は、同じく横断面図である。
【０１４１】
図１６は、同じく縦断面図である。
【０１４２】
第１のシール体２４は、ソケット１２の外周に密接し得る寸法および形状の環状であり、断面はＶ字状をなし、さらに詳述すれば、ソケット側の端部がわずかに突出した接触縁２４ａを形成している。この第１のシール体２４は、基体２１の周凹溝２１ｇ１に収納される。組み立てるには、帯状照明具１のソケット１２のに予め第１のシール体２４を装着しておいてから、基体２１の背方から窓２１ｇにソケット１２を挿入する。すると、第１のシール体２４は周凹溝２１ｇ１に収納される。
【０１４３】
ところで、第２のシール体２５は、図１に示すようにＯリングからなり、基体２１の周凹溝２１ａ３に装着されている。透光性グローブ２３の内面と周凹溝２１ａ３との間で防水シールされる。
【０１４４】
そうして、照明装置を組み立てるには、基体２１を反転させて窓２１ｇに帯状照明具１のソケット１２を挿通させ、同時に嵌合部２１ｅに帯状電線１１を嵌合させる。なお、前述のようにソケット１２には予め第１のシール体２４を装着しておくものとする。
【０１４５】
次に、背面体２２をその載置部２２ａを帯状電線１１に当接させ、基体２１の一対の固着部２１ｉ、２１ｉと、背面体２２一対の固着部２２ｂとを密接させて背面体２２のリブ２２ｂ１の部分を超音波溶接する。
【０１４６】
さらに、帯状照明具１、基体２１および背面体２２を反転させて元に戻してから、ソケット１２に発光体１３を装着する。
【０１４７】
最後に、透光性グローブ２３の開口端２３ａを基体２１の環状凸条２１ｄに外側から嵌合し、回動して係合片２３ｂ、２３ｂを基体２１の係合溝２１ｆに径着させる。
【０１４８】
以上により、帯状照明具１と防水カバー機構２とは、防水的に一体化される。すなわち、ソケット１２の周囲は、第１のシール体２４により防水的にシールされる。また、透光性グローブ２３の開口端２３ａは、第２のシール体２５によって基体２１に対して防水的にシールされる。
【０１４９】
図１７は、本発明の照明装置の第２の実施形態を示す帯状照明具の回路図である。
【０１５０】
図において、図２と同一部分には同一符号を付して説明は省略する。
【０１５１】
本実施形態は、交流１００Ｖ電圧を帯状電線１１’に直接印加ようにしたものである。
【０１５２】
すなわち、帯状電線１１’は、３本の導電体１１ｂ１、１１ｂ２、１１ｂ３が絶縁被覆１１ａに埋設されている。そして、３本の導電体１１ｂ１、１１ｂ２、１１ｂ３のうち１１ｂ１および１１ｂ３に交流電源ＡＣに直接接続されて１００Ｖ電圧が印加されるように構成されている。残余の導電体１１ｂ２は、適当な数の導電片１１ｅ１、１１ｅ２、…に分断される。なお、１１ａは絶縁被覆である。
【０１５３】
複数の発光体１３1、１３2、…１３nは、導電片１１ｅ１、１１ｅ２、…１１ｅｎを介して直列接続される。直列接続の一端の発光体１３1は、導電体１１ｂ１と導電片１１ｅ１とに接続されるが、発光体１３2は導電片１１ｅ１と１１ｅ２とに接続される。直列接続の他端の発光体１３nは、導電片１１ｅｎ−１と１１ｅｎとに接続される。導電片１１ｅｎは導電体１１ｂ２にも接続される。
【０１５４】
したがって、発光体１３1〜１３nは、直列接続されて発光グループ１３Ａを構成して、交流電源ＡＣに接続される。同様に複数の発光グループ１３Ｂ…を形成することができる。各発光体１３は定格電圧が低いものを使用することができる。
【０１５５】
図１８は、本発明の照明装置の第２の実施形態を示す帯状照明具の分解斜視図である。
【０１５６】
図において、図２と同一部分には同一符号を付して説明は省略する。
【０１５７】
本実施形態は、帯状電線１１’およびソケット１２の接触片１２ｂ１’、１２ｂ２’の構成が異なる。
【０１５８】
すなわち、帯状電線１１’の導電体１１ｂ３を分断するのに絶縁体１１ａおよび導電体１１ｂ３を貫通する貫通孔１１ｄを形成する。導電体１１ｂ３を分断した後、貫通孔１１ｄにシリコーン樹脂を充填して絶縁処理を行う。
【０１５９】
ソケット１２は、その一方の接触片１２ｂ１’が導電片１１ｅ１に接続し、他方の接触片１２ｂ２’が導電片１１ｅ２に接続する。
【０１６０】
図１９は、本発明の照明装置の第３の実施形態を示す帯状照明具の回路図である。
【０１６１】
図において、図１７と同一部分には同一符号を付して説明は省略する。
【０１６２】
本実施形態は、直列接続の発光グループのうち一部の発光体がたとえばフィラメント断線などのように不点になって開路した場合にグループに属する全ての発光体が不点になって不良発光体を見分けにくいので、不良発光体を表示するようにしたものである。すなわち、発光体１３が不点になって全電源電圧が印加された場合に作動する表示手段５を各発光体１３に並列接続している。
【０１６３】
表示手段５は、グロー放電ランプ５ａおよびこれと直列接続された限流抵抗器５ｂからなる。もちろん、表示手段５は、外部から視認しやすい位置に設置するものとする。
【０１６４】
図２０は、本発明の照明装置の第４の実施形態を示す帯状照明具の一部分解斜視図である。
【０１６５】
図２と同一部分には同一符号を付してある。
【０１６６】
本実施形態は、ソケット１２’および発光体１３’の構成が先行する実施形態と異なる。
【０１６７】
すなわち、発光体１３’は、片口金のウエッジベース電球である。
【０１６８】
ソケット１２’は、帯状電線１１に接触する部分が長円形のフランジ１２ａ９を備えている絶縁物製のソケット本体１２ａ’は、上部に電球挿入孔１２ａ３’が形成され、ウエッジベース電球を上向きに装着するようになっている。ソケット本体１２ａ’の内部には接触片１２ｂ１’、１２１ｂ２’が収納されている。
【０１６９】
本実施形態のソケットに適合する防水カバー機構を配設するには、図１における基体２１の第１のシール体２４をフランジ１２ａ９に当接するように構成すればよい。
【０１７０】
図２１は、本発明の照明装置の第５の実施形態を示す基体の正面図である。
【０１７１】
図において、図４と同一部分には同一符号を付して説明は省略する。
【０１７２】
本実施形態は、防水カバー機構２に取付耳２１ｈを付加したものである。すなわち、防水カバー機構２の基体２１の環状枠２１ａから一体にかつ対角線上に一対の取付耳２１ｈ、２１ｈを側方へ突設している。取付耳２１ｈには取付孔２１ｈ１が形成されている。
【０１７３】
そうして、取付耳２１ｈを用いて取付位置に正面側から容易に取り付けることができる。
【０１７４】
図２２は、本発明の照明装置の第６の実施形態を示す背面体の背面図である。
【０１７５】
図において、図９と同一部分には同一符号を付して説明は省略する。
【０１７６】
本実施形態は、背面体２２の取付孔を用いて防水カバー機構２の正面側から取り付けることができるようにしたものである。すなわち、平板状の取付ステー５をまず背面体２２の取付孔を利用してねじ５ａにより取り付ける。取付ステー５の両端は背面体２２の側面から突出していて、しかも取付孔５ｂを形成してあるので、正面側から取り付けることができる。
【０１７７】
図２３は、本発明の照明装置の第７の実施形態を示す背面体の一部断面側面図である。
【０１７８】
図において、図１０と同一部分には同一符号を付して説明は省略する。
【０１７９】
本実施形態は、背面体２２の取付孔を用いて照明装置をワイヤなどの索条体に取り付けることができるようにしたものである。すなわち、取付サドル６で索条体７を抱持し取付サドル６の両端を背面体２２の取付孔にねじ６ａ、６ａで固定している。
【０１８０】
図２４は、本発明の帯状照明具の防水機構および照明装置の第８の実施形態を示す一部切欠正面図である。
【０１８１】
図２５は、同じく背面図である。
【０１８２】
図２６は、同じく中央断面底面図である。
【０１８３】
図２７は、同じく左側面図である。
【０１８４】
図２８は、同じく中央断面右側面図である。
【０１８５】
各図において、図１ないし１６に示す本発明の第１の実施形態と同一部分には同一符号を付して説明は省略する。
【０１８６】
本実施形態は、主としてソケットの周囲の防水シール構造および透光性グローブの取付構造において第１の実施形態と異なる。すなわち、ソケット１２の周囲の防水構造は、第１のシール体２４’を基体２１’と背面体２２’との間で挟持して防水シールする構成である。
【０１８７】
また、透光性グローブ２３’の取付構造は、基体２１’の外周面に係合片２１ｉを形成し、透光性グローブ２３’の開口端２３ａの内面に係合溝２３ｄを形成して、係合溝２３ｄを係合片２１ｉに係合するようにしている。
【０１８８】
以下、各部材の詳細について説明する。
【０１８９】
まず、基体２１’について説明する。
【０１９０】
図２９は、本発明の帯状照明具の防水カバー機構および照明装置の第８の実施形態における基体の正面図である。
【０１９１】
図３０は、同じく背面図である。
【０１９２】
図３１は、同じく中央断面底面図である。
【０１９３】
図３２は、同じく左側面図である。
【０１９４】
図３３は、同じく中央断面右側面図である。
【０１９５】
各図において、図４ないし７と同一部分には同一符号を付して説明は省略する。
【０１９６】
基体２１’は、透明なポリカーボネート樹脂を成形したもので、環状枠２１ａの外周面であって、各嵌合部２１ｅの上部に係合片２１ｉをそれぞれ形成し、また嵌合部２１ｅに隣接して取付耳２１ｈ、２１ｈを形成している。なお、係合片２ｉの下面には係止溝２１ｉ１が形成されている。また、図３３に示すように、基体２１’の背面には環状枠２１ａの部分に周段部２１ｐが形成され、後述する背面体２２’を嵌合するように構成されている。
【０１９７】
また、環状凸条２１ｄの外面に形成した周凹溝２１ａ３内には第２のシール体２５が装着される。
【０１９８】
さらに、図３０、３１に示すように、基体２１’の背面において、窓２１ｇの外周部に若干の距離を隔てて周凸段部２１ｊを形成してある。この周凸段部２１ｊは、嵌合部２１ｅに対向する部分において、一部切欠部２１ｊ１が形成され、また切欠部２１ｊ１の部分においては凹溝２１ｋが形成されている。上記周凸段部２１ｊの外面に隣接する平面部および嵌合部２１ｅに対向する凹溝２１ｋの部分に第１のシール体２４’が位置するのである。図３０における１点鎖線２１ｌは第１のシール体２４’の中心線を示す。さらに、図３０において、横長の窓２１ｇに対してその両側は円弧状の固着部２１ｍ、２１ｍを形成しており、タッピングねじ孔２１ｍ１がそれぞれ２個づつ形成されている。なお、２１ｎは、内圧逃がし部である。
この内圧逃がし部２１ｎについて図３４を参照して説明する。
【０１９９】
図３４は、図３０のXIII−XIII'線に沿う部分を第１のシール体とともに示す拡大部分断面図である。
【０２００】
内圧逃がし部２１ｎは、基体２１’の背面において、凸段部２１ｊに隣接する第１のシール体２４’が当接する平面部に隣接した傾斜面部によって形成されている。
【０２０１】
その作用は次のとおりである。すなわち、図２４、２６に示すように発光体１３が作動して発光すると、これに伴って発熱する。発熱により透光性グローブ２３’内の圧力が所定値を越えると、第１のシール体２４’が内圧逃がし部２１ｎの部分においてその弾力に抗して図において点線で示す位置まで外側に偏位する。すると、第１のシール体２４’と内圧逃がし部２１ｎとの間にわずかな間隙が形成され、膨張した空気が固着部２１ｍ側に逃げるので、内外の圧力バランスがとれる。この状態では、再び第１のシール体２４はその弾力によって元に戻り、シール作用を行う。
【０２０２】
したがって、消灯した際に透光性グローブ内が減圧した状態になっても外部から水分や汚れ物質が侵入することはない。
【０２０３】
次に、背面体について説明する。
【０２０４】
図３５は、本発明の帯状照明具の防水カバー機構および照明装置における背面体の正面図である。
【０２０５】
図３６は、同じく背面図である。
【０２０６】
図３７は、同じく中央断面底面図である。
【０２０７】
図３８は、同じく図３５のXXXVII−XXXVII'線に沿う断面を示す一部断面左側面図である。
【０２０８】
各図において、図８ないし１１と同一部分については同一符号を付して説明は省略する。
【０２０９】
背面体２２’の帯状電線の載置部２２ａ’とその両側の固着部２２ｂ’、２２ｂ’との間に凸段部２２ｆ１および押圧部２２ｆ２を備え、基体２１’の背面の周段部２１ｐに嵌合される構造である。凸段部２２ｆ１は、基体２１’の周凸段部２１ｊに離間対向して形成され、基体２１’の周凸段部２１ｊと協働して凹溝を形成する。そして、この凹溝に第１のシール体２４’が収納される。図３５の１点鎖線２２ｅは、第１のシール体２４’の中心線を示す。押圧部２２ｆ２は、凹溝に対向する位置に形成され、複数に分割されている。
【０２１０】
支え部２２ｃに対向する１点鎖線２２ｅの部分には浅い凹溝部２２ｇ、２２ｇが形成されている。この凹溝部２２ｇは、シリコーンなどのシール剤の溜まり部として機能する。すなわち、帯状電線の背面はシール剤などによってシールすることができる。
【０２１１】
固着部２２ｂ’、２２ｂ’は、それぞれ２個のねじ挿通孔２２ｂ１’、２２ｂ１’を備えている。そして、図２５に示すようにタッピングねじ８を背面体２２’のねじ挿通孔２２ｂ１’を介して基体２１’のタッピングねじ孔２１ｍ１にねじ込むことにより、基体２１’と背面体２２’とを強固に固着する。
【０２１２】
したがって、帯状照明具１のソケット１２の周囲を防水シールするには、基体２１’の背面に形成した周凸段部２１ｊにＯリングからなる第１のシール体２４’を、また環状凸条２１ｄの周凹溝２１ａ３にＯリングからなる第２のシール体２５を、それぞれ装着しておく。次に、帯状照明具１のソケット１２を基体２１’の背面側から基体２１’の窓２１ｇに挿通する。さらに、背面体２２の凹溝２２ｇにシリコーン樹脂を充填して支え部２２ｃを基体２１’の嵌合部２１ｅに合わせて基体２１’の背面の周段部２１ｐに嵌合する。このとき、背面体２２’のソケット載置部２２ａ’はソケット１２の背面に当接し、固着部２２ｂ’は基体２１’の固着部２１ｍに当接する。この状態で背面体２２’の凸段部２２ｆ１は、周凸段部２１ｊとわずかな距離を隔てて対向して第１のシール体２４’を収納する凹溝を形成し、また押圧部２２ｆ２は第１のシール体２４’を凹溝に押し付ける。
最後に、背面体２２’のねじ挿通孔２２ｂ１’にタッピングねじ８を挿通し、基体２１’のタッピングねじ孔２１ｍ１にねじ込むことにより、基体２１’と背面体２２’とで帯状照明具１のソケット１２を帯状電線１１とともに挟持した状態で、ソケット１２の周囲は第１のシール体２４’によって防水シールされる。
【０２１３】
最後に、透光性グローブ２３’について説明する。
【０２１４】
図３９は、本発明の帯状照明具の防水カバー機構および照明装置の第８の実施形態における透光性グローブの底面図である。
【０２１５】
図４０は、同じく右側断面図である。
【０２１６】
図４１は、同じく底面断面図である。
【０２１７】
各図において、図１２および図１３と同一部分については同一符号を付して説明は省略する。
【０２１８】
透光性グローブ２３’の開口端２３ａの内面に係合溝２３ｄ、２３ｄを形成している。係合溝２３ｄには、さらに係止凸部２３ｄ１が形成されている。
【０２１９】
そうして、透光性グローブ２３’の開口端２３ａを基体２１’の環状凸条２１ｄに外側から係合溝２３ｄを基体の係合片２１ｉに合わせて嵌合し、続いて回動すると、係合溝２３ｄと係合片２１ｉとが係合する。そして、係合溝２３ｄの係止凸部２３ｄ１が係合片２１ｉの係止凸部２１ｉ１を乗り越えた所で透光性グローブ２３’は基体２１’に装着され、容易に脱落するようなことはない。
【０２２０】
また、透光性グローブ２３’を装着すると、透光性グローブ２３’の開口端２３ａの内面が基体２１’の環状凸条２１ｄの外面に形成された周凹溝２１ａ３内に装着された第２のシール体２５に密接するから、透光性グローブ２３’と基体２１’との間は防水シールされる。
【０２２１】
このようにして、帯状照明具のソケットを帯状電線とともに第１および第２のシール体２４’、２５によって防水シールすることができる。
【０２２２】
【発明の効果】
請求項１の発明によれば、基体、背面体、透光性グローブ、第１および第２のシール体を用いることにより、帯状照明具を帯状電線とともに防水的に包囲することにより、ソケットおよび発光体の装着方向の如何にかかわらずソケットおよび発光体に防水機能を付与することができるうえに、帯状電線の背面側への突出を少なくできるから、構築物の表面に沿った取付が容易で、しかも透光性グローブを安価に成形できる帯状照明具の防水カバー機構を提供することができる。
【０２２３】
請求項２ないし１７の各発明によれば、ソケットの周囲を防水的にシールする第１のシール体と透光性グローブの開口端を防水的にシールする第２のシール体を用いることにより、ソケットおよび発光体の装着方向の如何にかかわらずソケットおよび発光体に防水機能を付与することができるうえに、帯状電線の背面側への突出を少なくできるから、構築物の表面に沿った取付が容易で、しかも透光性グローブを安価に成形できる帯状照明具を用いた照明装置を提供することができる。
【０２２４】
請求項３の発明によれば、加えて第１のシール体をソケットの周側面を利用して配設することにより、構造を簡素化した帯状照明具を用いた照明装置を提供することができる。
【０２２５】
請求項４の発明によれば、加えて第１のシール体を基体と背面体との間に介在させてソケットの周囲を防水シールすることにより、ソケットの形状に関係なく確実に防水シールする照明装置を提供することができる。
【０２２６】
請求項５の発明によれば、加えてソケットおよび発光体を多数配設したことにより、屋外用のライン照明を行う照明装置を提供することができる。
【０２２７】
請求項６の発明によれば、加えて少なくとも２本は電源に接続される３本以上の導電体を備えた帯状電線を用いることにより、降圧トランスを不要とした照明装置を提供することができる。
【０２２８】
請求項７の発明によれば、加えて発光体が両端封止の無口金小形電球であって、ソケットは絶縁物製のソケット本体を備えていて外観の良好な照明装置を提供することができる。
【０２２９】
請求項８の発明によれば、加えてソケットの基体部および発光体の間に反射体を配設したことにより、配光を制御するとともに、ソケットへの遮熱を行う照明装置を提供することができる。
【０２３０】
請求項９の発明によれば、加えてソケットの周側面を利用して第１のシール体を作用させるのに最適な具体的な構成を備えた照明装置を提供することができる。
【０２３１】
請求項１０の発明によれば、加えて基体と背面体との間で第１のシール体を作用させるのに最適な具体的な構成を備え、したがってソケットの形状に関係なく良好に防水シールされた照明装置を提供することができる。
【０２３２】
請求項１１の発明によれば、加えて基体と背面体とを超音波溶接することにより、十分な固着強度の照明装置を提供することができる。
【０２３３】
請求項１２の発明によれば、加えて基体と背面体とをタッピングねじによって固着することにより、製造が容易で十分な固着強度の照明装置を提供することができる。
【０２３４】
請求項１３の発明によれば、加えて透光性グローブの係合片を基体の係合溝に係合することにより、透光性グローブが不用意に脱落することのない照明装置を提供することができる。
【０２３５】
請求項１４の発明によれば、加えて透光性グローブの係合溝を基体の係合片に係合することにより、透光性グローブが不用意に脱落することがないとともに、透光性グローブの外周に突出物がなくて外観の良好な照明装置を提供することができる。
【０２３６】
請求項１５の発明によれば、加えて背面体の背面に取付孔を形成することにより、取付が容易な照明装置を提供することができる。
【０２３７】
請求項１６の発明によれば、加えて背面体の背面の取付孔を利用して取付ステーを取り付けることにより、正面側から取り付ける照明装置を提供することができる。
【０２３８】
請求項１７の発明によれば、加えて背面体の背面の取付孔を利用して取付サドルを取り付けることにより、ワイヤなどの索条に取り付ける照明装置を提供することができる。
【０２３９】
請求項１８の発明によれば、構築物の表面の沿って帯状照明具を配設する屋外照明システムを提供することができる。
【図面の簡単な説明】
【図１】本発明の帯状照明具の防水カバー機構および照明装置の第１の実施形態を示す一部切欠断面図
【図２】本発明に用いる帯状照明具の一例を示す一部切欠断面図
【図３】同じく一部切欠分解斜視図
【図４】本発明の帯状照明具および照明装置の第１の実施形態における基体の正面図
【図５】同じく背面図
【図６】同じく一部断面側面図
【図７】同じく一部断面底面図
【図８】本発明の帯状照明具の防水カバー機構および照明装置の第１の実施形態における正面図
【図９】同じく背面図
【図１０】同じく一部断面側面図
【図１１】同じく底面図
【図１２】本発明の帯状照明具の防水カバー機構および照明装置の第１の実施形態における透光性グローブの一部断面側面図
【図１３】同じく平面図
【図１４】本発明の帯状照明具の防水カバー機構および照明装置の第１の実施形態における第１のシール体を示す正面図
【図１５】同じく横断面図
【図１６】同じく縦断面図
【図１７】本発明の照明装置の第２の実施形態を示す帯状照明具の回路図
【図１８】本発明の照明装置の第２の実施形態を示す帯状照明具の分解斜視図
【図１９】本発明の照明装置の第３の実施形態を示す帯状照明具の回路図
【図２０】本発明の照明装置の第４の実施形態を示す帯状照明具の一部分解斜視図
【図２１】本発明の照明装置の第５の実施形態を示す基体の正面図
【図２２】本発明の照明装置の第６の実施形態を示す背面体の背面図
【図２３】本発明の照明装置の第７の実施形態を示す背面体の一部断面側面図
【図２４】本発明の帯状照明具の防水カバー機構および照明装置の第８の実施形態を示す一部切欠正面図
【図２５】同じく背面図
【図２６】同じく中央断面底面図
【図２７】同じく左側面図
【図２８】同じく中央断面右側面図
【図２９】本発明の帯状照明具の防水カバー機構および照明装置の第８の実施形態における基体の正面図
【図３０】同じく背面図
【図３１】同じく中央断面底面図
【図３２】同じく左側面図
【図３３】同じく中央断面右側面図
【図３４】図３０のXXXIII−XXXIII'線に沿う部分を第１のシール体とともに示す拡大部分断面図
【図３５】本発明の帯状照明具の防水カバー機構および照明装置の第８の実施形態における背面体の正面図
【図３６】同じく背面図
【図３７】同じく中央断面底面図
【図３８】同じく図３５のXXXVII−XXXVII'線に沿う断面を示す一部断面左側面図
【図３９】本発明の帯状照明具の防水カバー機構および照明装置の第８の実施形態における透光性グローブの底面図
【図４０】同じく右側断面図
【図４１】同じく底面断面図
【符号の説明】
１…帯状照明具
２…防水カバー機構
３…構築物
４…帯状照明具取付サドル
１１…帯状電線
１２…ソケット
１３…発光体
２１…基体
２２…背面体
２３…透光性グローブ
２４…第１のシール体
２５…第２のシール体
【図１】
0004008979.tif 000002
【図２】
0004008979.tif 000003
【図３】
0004008979.tif 000004
【図４】
0004008979.tif 000005
【図５】
0004008979.tif 000006
【図６】
0004008979.tif 000007
【図７】
0004008979.tif 000008
【図８】
0004008979.tif 000009
【図９】
0004008979.tif 000010
【図１０】
0004008979.tif 000011
【図１１】
0004008979.tif 000012
【図１２】
0004008979.tif 000013
【図１３】
0004008979.tif 000014
【図１４】
0004008979.tif 000015
【図１５】
0004008979.tif 000016
【図１６】
0004008979.tif 000017
【図１７】
0004008979.tif 000018
【図１８】
0004008979.tif 000019
【図１９】
0004008979.tif 000020
【図２０】
0004008979.tif 000021
【図２１】
0004008979.tif 000022
【図２２】
0004008979.tif 000023
【図２３】
0004008979.tif 000024
【図２４】
0004008979.tif 000025
【図２５】
0004008979.tif 000026
【図２６】
0004008979.tif 000027
【図２７】
0004008979.tif 000028
【図２８】
0004008979.tif 000029
【図２９】
0004008979.tif 000030
【図３０】
0004008979.tif 000031
【図３１】
0004008979.tif 000032
【図３２】
0004008979.tif 000033
【図３３】
0004008979.tif 000034
【図３４】
0004008979.tif 000035
【図３５】
0004008979.tif 000036
【図３６】
0004008979.tif 000037
【図３７】
0004008979.tif 000038
【図３８】
0004008979.tif 000039
【図３９】
0004008979.tif 000040
【図４０】
0004008979.tif 000041
【図４１】
0004008979.tif 000042